(57)【要約】      （修正有）【課題】イヤホーンやイヤホーンコードの収納や収納後の取り外しも容易で、かつ美観を備えた携帯用音楽再生機用ケースを提供する。【解決手段】携帯用音楽再生機用ケースは、シリコーン樹脂、ポリエステル系熱可塑性エラストマー、ポリスチレン系熱可塑性エラストマー、ポリウレタン樹脂から選択される材料を使用した携帯用音楽再生機を収納するための携帯用音楽再生機用ケースであって、ケース本体１とケース本体１の左右両側に設けられ、イヤホーンコードを巻き付けて収納するための収納枠１ａと、支持枠の中央に設けられた切り欠き部１ｂと、イヤホーンを収納するためのイヤホーン収納孔とを設け、イヤホーン収納孔は、周囲にイヤホーンを固定するための固定突出枠が設けられている。【選択図】図１
0003132932.tif 000002
【実用新案登録請求の範囲】
【請求項１】
イヤホーン及びイヤホーンコードを迅速かつ体裁良く収納する事が出来る携帯用電子機器用ソフトケース。
【請求項２】
イヤホーンを迅速かつ体裁良く収納する事が出来る携帯用電子機器用ソフトケース。
【請求項３】
イヤホーンコードを迅速かつ体裁良く収納する事が出来る携帯用電子機器用ソフトケース。
【請求項４】
請求項１に記載の携帯用音楽再生機用ソフトケース。
【請求項５】
シリコーン樹脂又はエラストマー又はゴム材料製である請求項１に記載の携帯用電子機器用ソフトケース。
【請求項６】
シリコーン樹脂製である請求項１に記載の携帯用電子機器用ソフトケース。
【考案の詳細な説明】
【技術分野】
【０００１】本考案は携帯用音楽再生機用のケースに関する。
【背景技術】
【０００２】  従来、関連する公報としては、コードの長さ調整及び収納を行う、携帯性を有するコード巻き付け式携帯用音楽再生機用ケースがあった（例えば、特許文献１，２，３参照。）。【０００３】
【特許文献１】実用新案平成１７年第３１１７２４０号公報
【特許文献２】実用新案平成１７年第３１１７２３９号公報
【特許文献３】実用新案平成１７年第３１１５９６８号公報
【考案の開示】
【考案が解決しようとする課題】
【０００４】  以上に述べた考案の携帯用音楽再生機用ケースは音楽再生機を保護する目的のもので、ケース自体が容量が大きくてかさばってイヤホーン、イヤホーンコードの収納も体裁良く出来ない。不使用時のイヤホーン、イヤホーンコードの収納等に手間が掛かり、巻き付けた後のイヤホーンコードの固定も不安定で乱れ易い。【０００５】  本考案は、このような従来の携帯用音楽再生機用ケースの構成が有していた問題を解決しようとするもので、イヤホーンやイヤホーンコードの収納や収納後の取り外しも容易で、かつ美観を備えた携帯用音楽再生機用ケースを提供する事を目的とするものである。
【課題を解決するための手段】
【０００６】  そして、本考案は上記目的を達成するために、ケースに使用する素材としてシリコーン樹脂やポリエステル、ポリスチレン系等の熱可塑性エラストマー及びポリウレタン樹脂等のゴム材料を使用し、それらの柔軟性を利用して音楽再生機を挿入し易く、重量も軽くて携帯に適し、なおかつ携帯用音楽再生機がキズ付く事を防ぐ事が出来る。【０００７】  更に本考案の携帯用音楽再生機用ケースはイヤホーンコードを収納固定する収納枠を音楽再生機正面に向かい左右両側に設け、中央に切り欠き部があって、なおかつゴム材料で柔軟性があるために、不要時はイヤホーンコードを巻き付けて、アーチ状支持枠の切り欠き部に対して簡単で確実に固定、収納出来て非常に便利である。又、再度使用する際の取り外しも容易である。【０００８】  またイヤホーン固定突出枠もケースと同一の柔軟性のある材料から成るために、イヤホーン略直角に押し込めば、容易にかつ確実に嵌められ、不用意に外れる心配はほとんどない。【０００９】  上記目的を達成するために、ケースに使用する素材としてシリコーン樹脂やポリエステル、ポリスチレン系等の熱可塑性エラストマー及びポリウレタン樹脂等のゴム材料を使用するために携帯用音楽再生機を挿入し易く、重量も軽くて携帯に適し、もちろん携帯用音楽再生機がキズ付く事を防ぐ事が出来る。又、半透明の色調とすれば、挿入する携帯用再生機が半ば透けて見えて、そのデザインを損なわずに見せられるという独特の装飾性を付与する事も可能である。
【考案の効果】
【００１０】  上述したように本考案の携帯用音楽再生機用ケースを提供する事が出来る。
【考案を実施するための最良の形態】
【実施例】
【００１１】  以下、添付図面に従って、実施の一事例を説明する。１がケース本体で、両側にイヤホーンコード３を巻き付け収納する部分切り欠きアーチ状支持枠１ａを備えている。その枠の中央部には切り欠き部１ｂがあり、イヤホーンの収納に便利である。又、イヤホーン２はイヤホーン収納孔１ｃに容易に収納出来て、更にイヤホーン収納孔の周囲には固定突出枠１ｄを備えてイヤホーンを確実に固定出来る。又、携帯用音楽再生機の操作を行う再生機操作窓１ｅを開放し、又モニター用開放窓１ｆも備えた。ケースの材料が柔軟性を有するために、携帯用音楽再生機をケースに挿入する事も、イヤホーンをイヤホーン収納孔に装着する事も非常に容易である。
【図面の簡単な説明】
【００１１】
【図１】本考案の携帯用音楽再生機用ケースを示す正面図。
【図２】本考案の携帯用音楽再生機用ケースを示す背面図。
【図３】本考案の携帯用音楽再生機用ケースを示す下面図。
【図４】本考案の携帯用音楽再生機用ケースの使用例でイヤホーンを収納状態を示す部分拡大斜視図。
【図５】本考案の携帯用音楽再生機用ケースの使用例でイヤホーンコードを巻き付け収納した状態を示す部分拡大斜視図。
【符号の説明】
【００１２】１  −ケース本体
１ａ−部分切り欠きアーチ状支持枠
１ｂ−切り欠き部
１ｃ−イヤホーン収納孔
１ｄ−イヤホーン固定突出枠
１ｅ−再生機操作窓
１ｆ−モニター用開放窓
２  −イヤホーン
３  −イヤホーンコード
４  −携帯用音楽再生機本体
【図１】
0003132932.tif 000003
【図２】
0003132932.tif 000004
【図３】
0003132932.tif 000005
【図４】
0003132932.tif 000006
【図５】
0003132932.tif 000007
【手続補正書】
【提出日】平成19年3月13日(2007.3.13)
【手続補正２】
【補正対象書類名】実用新案登録請求の範囲
【補正対象項目名】全文
【補正方法】変更
【補正の内容】
【実用新案登録請求の範囲】
【請求項１】
シリコーン樹脂、ポリエステル系熱可塑性エラストマー、ポリスチレン系熱可塑性エラストマー、ポリウレタン樹脂から選択される材料を使用した携帯用音楽再生機を収納するための携帯用音楽再生機用ケースであって、  ケース本体（１）と、  前記ケース本体（１）の左右両側に設けられ、イヤホーンコードを巻きつけて収納するための収納枠（１ａ）と、  前記支持枠の中央に設けられた切り欠き部（１ｂ）とを備え、  前記イヤホーンコード（３）を迅速かつ体裁良く収納することができるようにした  ことを特徴とする携帯用音楽再生機用ケース。
【請求項２】
請求項１に記載された携帯用音楽再生機用ケースにおいて、  前記ケース本体（１）には、イヤホーン（２）を収納するためのイヤホーン収納孔（１ｃ）とを設け、  前記イヤホーン（２）を迅速かつ体裁良く収納することができるようにした  ことを特徴とする携帯用音楽再生機用ケース
【請求項３】
請求項２に記載された携帯用音楽再生機用ケースにおいて、  前記イヤホーン収納孔（１ｃ）は、周囲に前記イヤホーン（２）を固定するための固定突出枠（１ｄ）が設けられているものである  ことを特徴とする携帯用音楽再生機用ケース。
【請求項４】
請求項２に記載された携帯用音楽再生機用ケースにおいて、  前記ケース本体（１）は、前記携帯用音楽用再生機（４）の操作を行うための再生機操作窓（１ｅ）が開放されている  ことを特徴とする携帯用音楽再生機用ケース。
【請求項５】
請求項４に記載の携帯用音楽再生機用ケースにおいて、  前記ケース本体（１）は、モニター用開放窓（１ｆ）が備えられていることを特徴とする携帯用音楽再生機用ケース。
【手続補正３】
【補正対象書類名】明細書
【補正対象項目名】全文
【補正方法】変更
【補正の内容】
【考案の詳細な説明】
【技術分野】
【０００１】  本考案は携帯用音楽再生機を収納するための携帯用音楽再生機用ケースに関する。更に詳しくは、イヤホーン、又はイヤホーンコードの収納が容易な携帯用音楽再生機ケースに関する。
【背景技術】
【０００２】  従来、携帯用音楽再生機等を収納するためのケースに関する技術としては、コードの長さ調整及び収納を行う、携帯性を有するコード巻き付け式携帯用音楽再生機用ケースが知られている（例えば、特許文献１、特許文献２、特許文献３参照）。【０００３】
【特許文献１】登録実用新案第３１１７２４０号公報
【特許文献２】登録実用新案第３１１７２３９号公報
【特許文献３】登録実用新案第３１１５９６８号公報
【考案の開示】
【考案が解決しようとする課題】
【０００４】  以上に述べた考案の携帯用音楽再生機用ケースは、音楽再生機を保護する目的のもので、ケース自体が容量が大きくてかさばってイヤホーン、イヤホーンコードの収納も体裁良く出来ない。不使用時のイヤホーン、イヤホーンコードの収納等に手間が掛かり、巻き付けた後のイヤホーンコードの固定も不安定で乱れ易い。【０００５】  しかし、前述した特許文献１、２、又は３の技術はこのような問題点を解決するものではなかった。そこで、イヤホーンやイヤホーンコードの収納や収納後の取り外しも容易で、かつ美観を備えた携帯用音楽再生機用ケースが望まれていた。【０００６】  本考案は、上述したような技術背景に基づき、従来の問題点を解決するためになされたもので、次の目的を達成する。  本考案の目的は、イヤホーンやイヤホーンコードの収納や収納後の取り外しも容易で、かつ美観を備えた携帯用音楽再生機用ケースを提供することにある。
【課題を解決するための手段】
【０００７】  本考案は、上述した目的を達成するために次の手段をとる。  本考案１の携帯用音楽再生機用ケースは、シリコーン樹脂、ポリエステル系熱可塑性エラストマー、ポリスチレン系熱可塑性エラストマー、ポリウレタン樹脂から選択される材料を使用した携帯用音楽再生機を収納するための携帯用音楽再生機用ケースであって、ケース本体１と、前記ケース本体１の左右両側に設けられ、イヤホーンコードを巻きつけて収納するための収納枠１ａと、  前記支持枠の中央に設けられた切り欠き部１ｂとを備え、前記イヤホーンコード３を迅速かつ体裁良く収納することができるようにしたことを特徴とする。【０００８】  本考案２の携帯用音楽再生機用ケースは、本考案１において、前記ケース本体１には、イヤホーン２を収納するためのイヤホーン収納孔１ｃとを設け、前記イヤホーン２を迅速かつ体裁良く収納することができるようにしたことを特徴とする。【０００９】  本考案３の携帯用音楽再生機用ケースは、本考案２において、前記イヤホーン収納孔１ｃは、周囲に前記イヤホーン２を固定するための固定突出枠１ｄが設けられているものであることを特徴とする。【００１０】  本考案４の携帯用音楽再生機用ケースは、本考案２において、前記ケース本体１は、前記携帯用音楽用再生機４の操作を行うための再生機操作窓１ｅが開放されていることを特徴とする。【００１１】  本考案５の携帯用音楽再生機用ケースは、本考案４において、前記ケース本体１は、モニター用開放窓１ｆが備えられていることを特徴とする。
【考案の効果】
【００１２】  以上説明したように、ケースに使用する素材としてシリコーン樹脂、ポリエステル系熱可塑性エラストマー、ポリスチレン系熱可塑性エラストマー、ポリウレタン樹脂から選択されるゴム材料を使用し、それらの柔軟性を利用して音楽再生機を挿入し易く、重量も軽くて携帯に適し、なおかつ携帯用音楽再生機がキズ付く事を防ぐ事が出来る。【００１３】  更に本考案の携帯用音楽再生機用ケースはイヤホーンコードを収納固定する収納枠を音楽再生機正面に向かい左右両側に設け、中央に切り欠き部があって、なおかつゴム材料で柔軟性があるために、不要時はイヤホーンコードを巻き付けて、アーチ状支持枠の切り欠き部に対して簡単で確実に固定、収納出来て非常に便利である。又、再度使用する際の取り外しも容易である。【００１４】  また、イヤホーン固定突出枠もケースと同一の柔軟性のある材料から成るために、イヤホーン略直角に押し込めば、容易にかつ確実に嵌められ、不用意に外れる心配はほとんどない。【００１５】  また、半透明の色調とすれば、挿入する携帯用再生機が半ば透けて見えて、そのデザインを損なわずに見せられるという独特の装飾性を付与する事も可能である。
【考案を実施するための最良の形態】
【００１６】  以下、本考案について、図面をもとに、その実施の形態を詳細に説明する。  ケース本体１は、シリコーン樹脂、ポリエステル系熱可塑性エラストマー、ポリスチレン系熱可塑性エラストマー、ポリウレタン樹脂から選択される一種以上の柔軟性があるゴム材料から形成されていると良く、携帯用音楽再生機本体４を収納できる。携帯用音楽再生機本体４は、ケース本体１に収納されることによりキズ付くことを防ぐことができる。ケース本体１は、携帯用音楽再生装置本体４のデザインを損なわずに見せ、その独特の装飾性を付与するため、半透明の色調とすると良い。【００１７】  ケース本体１は、両側にイヤホーンコード３を巻き付け収納する部分切り欠きアーチ状支持枠１ａが設けられている。アーチ状支持枠１ａは、携帯用音楽再生機本体４の正面に向かい左右両側に設けられ、中央に切り欠き部が設けられている。アーチ状支持枠１ａは、ケース本体１と同様にシリコーン樹脂、ポリエステル系熱可塑性エラストマー、ポリスチレン系熱可塑性エラストマー、ポリウレタン樹脂から選択される一種以上の柔軟性があるゴム材料から形成されていると良い。【００１８】  ケース本体１は、イヤホーン２を収納するためのイヤホーン収納孔１ｃが設けられている。  ケース本体１は、イヤホーン収納孔１ｃの周囲に固定突出枠１ｄを設けている。固定用突出枠１ｄは、シリコーン樹脂、ポリエステル系熱可塑性エラストマー、ポリスチレン系熱可塑性エラストマー、ポリウレタン樹脂から選択される一種以上の柔軟性があるゴム材料から形成されていると良い。【００１９】  ケース本体１は、携帯用音楽再生装置本体４の再生機操作窓１ｅを開放している。  ケース本体１は、携帯用音楽再生装置本体４の操作を行うためにモニター開放窓１ｆを開放している。【００２０】  次にイヤホーン、イヤホーンコードの収納について説明する。  携帯用音楽再生装置本体４は、ケース本体１に収納する。  携帯用音楽再生装置本体４のイヤホーンコード３は、不要時にアーチ状支持枠１ａの切り欠き部１ｂからケース本体１側に巻き付けて収納する。アーチ状支持枠１ａは、柔軟性があるために、切り欠き部１ｂからイヤホーンコード３をケース本体１に巻き付けて確実に固定、収納できる。また、アーチ状支持枠１ａは、柔軟性があるために、イヤホーンコード３を再度使用する際の取り外しも容易にできる。【００２１】  イヤホーン２は、イヤホーン収納孔１ｃに収納できる。また、イヤホーン２をイヤホーン収納孔１ｃの周囲の固定突出枠１ｄに略直角に押し込めば、容易にかつ確実に嵌められ、不用意に外れることがない。【００２２】  以上、本考案の実施の形態について説明したが、本考案は、この実施の形態に限定されることはない。本考案の目的、趣旨を逸脱しない範囲内で変更が可能であることはいうまでもない。
【図面の簡単な説明】
【００２３】
【図１】本考案の携帯用音楽再生機用ケースを示す正面図。
【図２】本考案の携帯用音楽再生機用ケースを示す背面図。
【図３】本考案の携帯用音楽再生機用ケースを示す下面図。
【図４】本考案の携帯用音楽再生機用ケースの使用例でイヤホーンを収納状態を示す部分拡大斜視図。
【図５】本考案の携帯用音楽再生機用ケースの使用例でイヤホーンコードを巻き付け収納した状態を示す部分拡大斜視図。
【符号の説明】
【００２４】１…ケース本体１ａ…部分切り欠きアーチ状支持枠１ｂ…切り欠き部１ｃ…イヤホーン収納孔１ｄ…イヤホーン固定突出枠１ｅ…再生機操作窓１ｆ…モニター用開放窓２…イヤホーン３…イヤホーンコード４…携帯用音楽再生機本体